(57)【要約】【課題】安価かつ簡易な構成で資源利用の効率化を図ることが可能な画像形成装置を提供する。【解決手段】画像形成装置は、画像の形成時に使用される消耗品を収納した消耗部品を着脱自在に装着する。画像形成装置は画像を形成するための画像形成部と、装着されている消耗部品の識別情報を記憶する記憶装置と、消耗品の残量を検出するための検出部とを含む。画像形成装置は消耗品の残量が所定値を下回っていない状態において消耗部品の着脱を検出すると（ステップＳ１０７０においてＹＥＳ）、装着された消耗部品から取得した識別情報と記憶装置に記憶されている識別情報とを照合することにより、装着された消耗部品が記憶装置に記憶されている識別情報に対応するものであるか否かを判定する（ステップＳ１０９０）。この判定結果が否定である場合、画像形成装置は画像を形成する動作を禁止するよう画像形成部を制御する。【選択図】図３
2015075701.tif 000002
【特許請求の範囲】
【請求項１】
画像を形成するための画像形成手段と、
前記画像形成手段による画像の形成時に使用される消耗品を収納した消耗部品を着脱自在に装着するための装着手段と、
装着されている前記消耗部品を一意に識別するための識別情報を記憶するための記憶手段と、
装着されている消耗部品の消耗品の残量を検出するための検出手段と、
前記消耗品の残量が所定値を下回っていない状態において消耗部品の着脱を検出したことに応答して、装着された消耗部品から当該消耗部品の識別情報を取得し、取得した識別情報と前記記憶手段に記憶されている識別情報とを照合することにより、装着された当該消耗部品が前記記憶手段に記憶されている識別情報に対応するものであるか否かを判定するための判定手段と、
前記判定手段による判定結果が否定であることに応答して、画像を形成する動作を禁止するよう前記画像形成手段を制御するための禁止手段とを含む、画像形成装置。
【請求項２】
画像を形成する動作が禁止されている状態において消耗部品の着脱を検出したことに応答して、装着された消耗部品から当該消耗部品の識別情報を取得し、取得した識別情報と前記記憶手段に記憶されている識別情報とを照合することにより、装着された当該消耗部品が前記記憶手段に記憶されている識別情報に対応するものであるか否かを判定するための手段と、
前記判定するための手段の判定結果に応じて、禁止状態の解除又は禁止状態の維持を選択的に実行するための手段とをさらに含む、請求項１に記載の画像形成装置。
【請求項３】
前記消耗品の残量が所定値を下回ったことに応答して、消耗部品の交換を促す通知を行なうための通知手段をさらに含む、請求項１又は請求項２に記載の画像形成装置。
【請求項４】
情報を表示するための表示手段と、
前記禁止手段が画像を形成する動作を禁止するよう前記画像形成手段を制御したことに応答して、前記記憶手段に記憶されている識別情報に対応する消耗部品を装着するよう警告するメッセージを表示するように前記表示手段を制御するための表示制御手段とをさらに含む、請求項１〜請求項３のいずれかに記載の画像形成装置。
【請求項５】
管理者権限を有するユーザに対して認証処理を実行するための認証手段と、
前記認証手段が認証した管理者権限を有するユーザによりなされた、画像を形成する動作が禁止された状態を解除する解除操作を受付けるための受付手段と、
前記受付手段が前記解除操作を受付けたことに応答して、画像を形成する動作の禁止状態を解除するための手段とをさらに含む、請求項１〜請求項４のいずれかに記載の画像形成装置。
【請求項６】
前記禁止手段による処理を実行するか否について設定するための設定手段をさらに含み、
前記受付手段は、前記管理者権限を有するユーザによる設定操作を受付けることによって、画像を形成する動作が禁止された状態を解除する前記解除操作を受付ける、請求項５に記載の画像形成装置。
【請求項７】
前記解除操作を受付けることにより画像を形成する動作の禁止状態を解除したことに応答して、前記記憶手段に記憶する識別情報を装着された消耗部品の識別情報に書換えるための書換手段と、
前記書換手段が識別情報を書換えたことに応答して、前記設定手段を制御して前記禁止手段による処理を実行するよう設定するための手段をさらに含む、請求項６に記載の画像形成装置。
【請求項８】
前記装着手段は、トナーを収納したカートリッジを着脱自在に装着するための手段を含む、請求項１〜請求項７のいずれかに記載の画像形成装置。
【請求項９】
画像を形成するための画像形成手段と、前記画像形成手段による画像の形成時に使用される消耗品を収納した消耗部品を着脱自在に装着するための装着手段と、装着されている前記消耗部品を一意に識別するための識別情報を記憶するための記憶手段と、を含む画像形成装置の動作方法であって、
装着されている消耗部品の消耗品の残量を検出するステップと、
前記消耗品の残量が所定値を下回っていない状態において消耗部品の着脱を検出したことに応答して、装着された消耗部品から当該消耗部品の識別情報を取得し、取得した識別情報と前記記憶手段に記憶されている識別情報とを照合することにより、装着された当該消耗部品が前記記憶手段に記憶されている識別情報に対応するものであるか否かを判定するステップと、
前記判定するステップによる判定結果が否定であることに応答して、画像を形成する動作を禁止するよう前記画像形成手段を制御するためのステップとを含む、動作方法。
【発明の詳細な説明】
【技術分野】
【０００１】
本発明は、画像形成装置及びその動作方法に関し、特に、消耗部品の交換時期を通知するための技術に関する。
【背景技術】
【０００２】
電子写真方式の画像形成装置では、一般的にトナーを収納したトナーカートリッジを装置本体に対して着脱可能とするカートリッジ方式が採用されている。トナーカートリッジ内のトナーは画像形成処理によって消費されるため、トナー残量が少なくなると新品のカートリッジに交換される。
【０００３】
トナー残量は、例えば印刷枚数に応じてトナー使用量をカウントすることにより求められる。画像形成装置は、トナー使用量のカウントが所定値に達するとトナーの残量が少なくなったことを検出し、ディスプレイ等の表示部にカートリッジの交換を促すメッセージを表示する。このようなメッセージを見たユーザは、装置本体のカバーを開けてトナーが少なくなったカートリッジを取出し、トナーの充填された新しいカートリッジを新たに装着してカバーを閉じる。このようにしてカートリッジが交換されると、トナー使用量のカウントが初期値にリセットされる。
【０００４】
後掲の特許文献１には、カートリッジが正常に装着されているか否かを検知する着脱センサを用いてカートリッジの交換を検出する画像形成装置が記載されている。特許文献１では、この着脱センサの検知信号の変化を監視することによりカートリッジが交換されたか否かを検出する。この場合、カートリッジを交換せずに単に抜き差ししただけでも、カートリッジの交換を検出してしまう。そのため、特許文献１では、カートリッジの交換を検出するとその都度トナー使用量のカウントをリセットしてよいか否かをユーザに問合わせる。カウントをリセットしてよいとの情報がユーザによって入力されると、画像形成装置はカウントをリセットする。
【０００５】
特許文献１の画像形成装置は、カートリッジを交換せずに単に抜き差ししただけの場合でもユーザに対してリセットの可否を問合わせるため、ユーザはその都度、問合わせに応じた入力が求められる。そのため、特許文献１の画像形成装置では煩雑な操作が必要となる。
【０００６】
そこで、後掲の特許文献２は、カートリッジが交換された可能性が高いときにだけユーザに問合わせを行なう画像形成装置を提案する。カートリッジには収納したトナーをカートリッジ内部で攪拌させる攪拌部材が設けられている。画像形成装置は攪拌部材を回転させる際のトルクを検知する機能を有している。この画像形成装置はさらに、カートリッジの着脱時に開閉されるカバーの開閉動作を検出し、カバーの開閉動作の前後におけるトルクの変化を検出する。トナーが少なくなったカートリッジからトナーの充填された新しいカートリッジに交換されると、カバーの開閉動作の前後におけるトルクが大きくなる。特許文献２では、こうしたトルクの変化に基づいてカートリッジが交換された可能性が高いか否かを判定する。カートリッジが交換された可能性が高いと判定すると、この画像形成装置は画像形成動作を停止して、新たに装着されたカートリッジが中古カートリッジか否かをユーザに問合わせる。問合わせに対するユーザの入力を受付けると、画像形成動作の停止を解除する。
【先行技術文献】
【特許文献】
【０００７】
【特許文献１】特開２００３−２４１５８４号公報
【特許文献２】特開２０１０−２８２２２７号公報
【発明の概要】
【発明が解決しようとする課題】
【０００８】
上記のように、従来の画像形成装置では使用中のトナーカートリッジ内のトナーが少なくなると（ニアエンド状態になると）、カートリッジの交換を促すメッセージを表示する。トナーの残量がなくなると（エンド状態になると）、画像形成処理を実行できなくなるため画像形成装置はエンド状態になる前に新しいトナーカートリッジを準備するようユーザに通知する。ユーザは新しいカートリッジを準備すると、通常、表示されたメッセージにしたがいカートリッジの交換を行なう。しかし、現在使用中のカートリッジはまだ使用できるため、資源利用の観点からトナーを使い切ることが望ましい。
【０００９】
特許文献１及び特許文献２の画像形成装置は、トナーを使い切った後にカートリッジを交換させることを目的とするものではないため、トナーを使い切る前であっても容易にカートリッジを交換できる。そのため、特許文献１及び特許文献２に開示の技術では、効率的な資源利用を実現することが困難であるという問題がある。
【００１０】
こうした問題に対して、従来、トナーを使い切る前のカートリッジ交換をメカニカルなロック機構によって禁止する技術が知られている。しかし、メカニカルなロック機構は機構が複雑であるため、構成が複雑化するとともに製造コストが高価になるという問題がある。
【００１１】
本発明は、上記のような課題を解決するためになされたものであり、本発明の１つの目的は、安価かつ簡易な構成で資源利用の効率化を図ることが可能な画像形成装置及びその動作方法を提供することである。
【課題を解決するための手段】
【００１２】
上記目的を達成するために、本発明の第１の局面に係る画像形成装置は、画像を形成するための画像形成手段と、画像形成手段による画像の形成時に使用される消耗品を収納した消耗部品を着脱自在に装着するための装着手段と、装着されている消耗部品を一意に識別するための識別情報を記憶するための記憶手段と、装着されている消耗部品の消耗品の残量を検出するための検出手段と、消耗品の残量が所定値を下回っていない状態において消耗部品の着脱を検出したことに応答して、装着された消耗部品から当該消耗部品の識別情報を取得し、取得した識別情報と記憶手段に記憶されている識別情報とを照合することにより、装着された当該消耗部品が記憶手段に記憶されている識別情報に対応するものであるか否かを判定するための判定手段と、判定手段による判定結果が否定であることに応答して、画像を形成する動作を禁止するよう画像形成手段を制御するための禁止手段とを含む。
【００１３】
画像形成装置は、画像の形成時に使用される消耗品を収納した消耗部品が着脱自在に装着される。画像形成装置は、装着されている消耗部品の識別情報を記憶手段に記憶することによって、現在使用中の消耗部品を認識する。画像形成装置は、装着されている消耗部品の消耗品の残量を検出し、消耗品の残量が所定値を下回っていない状態において消耗部品の着脱を検出すると、装着された当該消耗部品が、記憶手段に記憶されている識別情報に対応するものであるか否かを判定する。すなわち、消耗品の残量が所定値を下回っていない状態において消耗部品の着脱があった場合、画像形成装置は新たに装着された消耗部品が現在使用中の消耗部品か否かを判定する。装着された消耗部品が現在使用中の消耗部品でない場合、画像形成装置は画像形成手段を制御して、画像を形成する動作を禁止する。
【００１４】
このように、本画像形成装置は、消耗品の残量が所定値を下回っていない状態、すなわち消耗品がまだ残っている状態において消耗部品が取外され、別の消耗部品（例えば新品の消耗部品）が装着されると画像を形成する動作を禁止する。消耗品を使い切るまでは、消耗部品を交換しても画像を形成することができないため、消耗品を使い切る前の消耗部品の交換を容易に抑制できる。さらに本画像形成装置では、メカニカルなロック機構を用いることなく、消耗品を使い切る前の消耗部品の交換を抑制できる。したがって、本画像形成装置によれば、安価かつ簡易な構成で資源利用の効率化を図ることができる。
【００１５】
好ましくは、画像形成装置は、画像を形成する動作が禁止されている状態において消耗部品の着脱を検出したことに応答して、装着された消耗部品から当該消耗部品の識別情報を取得し、取得した識別情報と記憶手段に記憶されている識別情報とを照合することにより、装着された当該消耗部品が記憶手段に記憶されている識別情報に対応するものであるか否かを判定するための手段と、判定するための手段の判定結果に応じて、禁止状態の解除又は禁止状態の維持を選択的に実行するための手段とをさらに含む。
【００１６】
より好ましくは、画像形成装置は、消耗品の残量が所定値を下回ったことに応答して、消耗部品の交換を促す通知を行なうための通知手段をさらに含む。
【００１７】
さらに好ましくは、画像形成装置は、情報を表示するための表示手段と、禁止手段が画像を形成する動作を禁止するよう画像形成手段を制御したことに応答して、記憶手段に記憶されている識別情報に対応する消耗部品を装着するよう警告するメッセージを表示するように表示手段を制御するための表示制御手段とをさらに含む。
【００１８】
さらに好ましくは、画像形成装置は、管理者権限を有するユーザに対して認証処理を実行するための認証手段と、認証手段が認証した管理者権限を有するユーザによりなされた、画像を形成する動作が禁止された状態を解除する解除操作を受付けるための受付手段と、受付手段が解除操作を受付けたことに応答して、画像を形成する動作の禁止状態を解除するための手段とをさらに含む。
【００１９】
さらに好ましくは、画像形成装置は、禁止手段による処理を実行するか否について設定するための設定手段をさらに含み、受付手段は、管理者権限を有するユーザによる設定操作を受付けることによって、画像を形成する動作が禁止された状態を解除する解除操作を受付ける。
【００２０】
さらに好ましくは、画像形成装置は、解除操作を受付けることにより画像を形成する動作の禁止状態を解除したことに応答して、記憶手段に記憶する識別情報を装着された消耗部品の識別情報に書替えるための書換手段と、書換手段が識別情報を書替えたことに応答して、設定手段を制御して禁止手段による処理を実行するよう設定するための手段をさらに含む。
【００２１】
さらに好ましくは、装着手段は、トナーを収納したカートリッジを着脱自在に装着するための手段を含む。
【００２２】
本発明の第２の局面に係る動作方法は、画像を形成するための画像形成手段と、画像形成手段による画像の形成時に使用される消耗品を収納した消耗部品を着脱自在に装着するための装着手段と、装着されている消耗部品を一意に識別するための識別情報を記憶するための記憶手段と、を含む画像形成装置の動作方法である。この動作方法は、装着されている消耗部品の消耗品の残量を検出するステップと、消耗品の残量が所定値を下回っていない状態において消耗部品の着脱を検出したことに応答して、装着された消耗部品から当該消耗部品の識別情報を取得し、取得した識別情報と記憶手段に記憶されている識別情報とを照合することにより、装着された当該消耗部品が記憶手段に記憶されている識別情報に対応するものであるか否かを判定するステップと、判定するステップによる判定結果が否定であることに応答して、画像を形成する動作を禁止するよう画像形成手段を制御するためのステップとを含む。
【発明の効果】
【００２３】
以上より、本発明によれば、安価かつ簡易な構成で資源利用の効率化を図ることが可能な画像形成装置及びその動作方法を得ることができる。
【図面の簡単な説明】
【００２４】
【図１】本発明の第１の実施の形態に係る画像形成装置の外観を示す斜視図である。
【図２】図１に示す画像形成装置のハードウェア構成を示す制御ブロック図である。
【図３】図１に示す画像形成装置で実行されるプログラムの制御構造を示すフローチャートである。
【図４】図１に示す画像形成装置で実行されるプログラムの制御構造を示すフローチャートである。
【図５】図３のステップＳ１０１０、ステップＳ１０８０及びステップＳ１１８０、並びに図４のステップＳ１１３０の詳細なフローである。
【図６】図３のステップＳ１２００の詳細なフローである。
【図７】トナーカートリッジの準備を要求するメッセージを表示する画面の一例を示す図である。
【図８】別のトナーカートリッジが装着された場合の警告メッセージを表示する画面の一例を示す図である。
【図９】トナーカートリッジのトナーが使い切られた場合の警告メッセージを表示する画面の一例を示す図である。
【図１０】本発明の第２の実施の形態に係る画像形成装置のハードウェア構成を示す制御ブロック図である。
【図１１】図１０に示す画像形成装置で実行されるプログラムの制御構造を示すフローチャートである。
【図１２】図１０に示す画像形成装置で実行されるプログラムの制御構造を示すフローチャートである。
【図１３】管理者権限ユーザ認証画面の一例を示す図である。
【図１４】認証パスワードの入力画面の一例を示す図である。
【図１５】システム設定画面の一例を示す図である。
【発明を実施するための形態】
【００２５】
以下の実施の形態では、同一の部品には同一の参照番号を付してある。それらの機能及び名称も同一である。したがって、それらについての詳細な説明は繰返さない。
【００２６】
（第１の実施の形態）
図１を参照して、本実施の形態に係る画像形成装置１００は、コピー機能及びプリンタ機能等を備える複合機（ＭＦＰ（Ｍｕｌｔｉｆｕｎｃｔｉｏｎ  Ｐｅｒｉｐｈｅｒａｌ））である。この画像形成装置１００は、レーザー光を露光に利用する、所謂レーザー方式（電子写真方式）の印刷機能を備える。レーザー方式の画像形成装置では、画像形成処理時に現像剤としてトナーを用いる。画像形成装置１００は、カートリッジ方式の画像形成装置であり、現像剤としてのトナーはこのトナーカートリッジによって供給される。画像形成装置１００には、トナーが収納されたトナーカートリッジを着脱自在に装着するためのカートリッジ装着部が設けられている。トナーカートリッジ内のトナーは画像形成処理時に消費される消耗品であるため、トナーがなくなると装着されていたトナーカートリッジが取外されて新しいトナーカートリッジ（新品のトナーカートリッジ）が装着される。画像形成装置１００へのトナーの補充（供給）はトナーカートリッジの交換によって行なわれるため、トナーカートリッジは消耗部品でもある。
【００２７】
本実施の形態では、トナーカートリッジ内にトナーが残っている状態で新しいトナーカートリッジに交換されると、画像形成装置１００はトナーを使切った後に新しいトナーカートリッジに交換するようユーザに通知するとともに、そのカートリッジが装着された状態での画像形成処理の実行を禁止する。すなわち、本実施の形態に係る画像形成装置１００は、トナーを使い切る前のトナーカートリッジの交換を禁止する。
【００２８】
画像形成装置１００は、原稿読取部１１０、画像形成部１２０、操作部１３０、給紙部１４０、手差し給紙トレイ１４２、及び排紙処理部１５０を含む。操作部１３０は、タッチパネルディスプレイ１３２を含む。タッチパネルディスプレイ１３２は、液晶パネル等で構成された表示パネルと、表示パネルの上に配置され、タッチされた位置を検出するタッチパネルとを含む。排紙処理部１５０には複数の排紙トレイ１５２が設けられている。
【００２９】
［ハードウェア構成］
図２を参照して、画像形成装置１００は、原稿読取部１１０、画像形成部１２０、及び操作部１３０等に加えて、制御部１６０、画像処理部１７０、トナー残量検出部１８０、及びＮＩＣ（Ｎｅｔｗｏｒｋ  Ｉｎｔｅｒｆａｃｅ  Ｃａｒｄ）１９０をさらに含む。
【００３０】
制御部１６０は、実質的にコンピュータであって、画像形成装置１００全体を制御するＣＰＵ（Ｃｅｎｔｒａｌ  Ｐｒｏｃｅｓｓｉｎｇ  Ｕｎｉｔ）１６２、プログラム等を記憶するためのＲＯＭ（Ｒｅａｄ  Ｏｎｌｙ  Ｍｅｍｏｒｙ）１６４、揮発性の記憶装置であるＲＡＭ（Ｒａｎｄｏｍ  Ａｃｃｅｓｓ  Ｍｅｍｏｒｙ）１６６、及び記憶装置１６８を含む。記憶装置１６８は、通電が遮断された場合にもデータを保持する不揮発性記憶装置であり、例えばハードディスクドライブ又はフラッシュメモリ等である。ＣＰＵ１６２には、ＢＵＳライン１０２が接続されており、このＢＵＳライン１０２には、ＲＯＭ１６４、ＲＡＭ１６６及び記憶装置１６８が電気的に接続される。
【００３１】
ＣＰＵ１６２は、操作部１３０等からの指示に応じて各種コンピュータプログラムを実行することによって、画像形成装置１００の各部の動作及び情報処理装置（図示せず。）等の外部機器との通信等の所望の処理を実行する。上記の各種コンピュータプログラムは、予めＲＯＭ１６４又は記憶装置１６８に記憶されており、所望の処理の実行時において、当該ＲＯＭ１６４又は記憶装置１６８から読出されてＲＡＭ１６６に転送される。ＣＰＵ１６２は、ＣＰＵ１６２内の図示しないプログラムカウンタと呼ばれるレジスタに格納された値によって指定される、ＲＡＭ１６６内のアドレスからプログラムの命令を読出し、解釈する。ＣＰＵ１６２はまた、読出された命令によって指定されるアドレスから演算に必要なデータを読出し、そのデータに対し命令に対応する演算を実行する。実行の結果も、ＲＡＭ１６６、記憶装置１６８及びＣＰＵ１６２内のレジスタ等の、命令によって指定されるアドレスに格納される。
【００３２】
記憶装置１６８には、画像形成装置１００の一般的な動作を実現するためのコンピュータプログラムが記憶される。このコンピュータプログラムは、ネットワーク５０及びＮＩＣ１９０を介して、情報処理装置等から提供される。なお、このコンピュータプログラムは、そのコンピュータプログラムが記録された、例えばＤＶＤ等の記憶媒体によって提供されてもよい。すなわち、コンピュータプログラムの記録媒体としてのＤＶＤが、画像形成装置１００内に内蔵されるＤＶＤドライブ（図示せず。）に装着され、そのＤＶＤからコンピュータプログラムが読出されて記憶装置１６８にインストールされてもよい。記憶装置１６８は、他に、画像データ等を含む各種データを記憶する。なお、ＲＯＭ１６４又は記憶装置１６８には、自機を識別するための識別番号（例えば製造番号等の装置番号）も記憶されている。
【００３３】
ＢＵＳライン１０２には、さらに、原稿読取部１１０、画像形成部１２０、操作部１３０、画像処理部１７０、トナー残量検出部１８０、及びＮＩＣ１９０が電気的に接続される。
【００３４】
原稿読取部１１０は、スキャナ及びＣＣＤ（Ｃｈａｒｇｅ−Ｃｏｕｐｌｅｄ  Ｄｅｖｉｃｅ）ラインセンサ（以上いずれも図示せず。）を含む。スキャナは、ユーザによって手動で、又は、自動原稿搬送装置（図示せず。）によって、原稿載置台（図示せず。）上に載置された原稿の画像表面に対し光源（図示せず。）から光を照射することによって得られる反射光像をＣＣＤラインセンサ上に結像させ、光源を移動させながら原稿をスキャンする。ＣＣＤラインセンサは、結像された反射光像を順次光電変換して画像データとして画像処理部１７０に対して出力する。すなわち、原稿読取部１１０は、原稿のコピー時又はスキャン時に、原稿載置台に載置される原稿からスキャナによって画像情報を読取り、読取った画像情報をＣＣＤラインセンサによって電気信号に変換して画像データとして画像処理部１７０に対して出力する。
【００３５】
画像処理部１７０は、ＭＰＵ（Ｍｉｃｒｏ  Ｐｒｏｃｅｓｓｉｎｇ  Ｕｎｉｔ、図示せず。）を含む。画像処理部１７０は、原稿読取部１１０、又は、情報処理装置等から受信した画像データに対して、例えば、ラスタライズ処理等の所定の画像処理を含む各種処理を施して所定の階調の印刷データを作成し、画像形成部１２０に対して出力する。
【００３６】
画像形成部１２０は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１２０には、例えば、搬送路が設けられており、給紙部１４０から給紙されてきた記録用紙が搬送路に沿って搬送される。給紙部１４０は、用紙カセット（図示せず。）に収納された記録用紙、又は手差し給紙トレイ１４２に載置された記録用紙を１枚ずつ引出して記録用紙を画像形成部１２０の搬送路へと送り出す。画像形成部１２０の搬送路に沿って記録用紙が搬送されている途中で、記録用紙が感光体ドラムと転写装置との間を通過し、さらに定着装置を通過して、記録用紙に対する印刷が行なわれる。
【００３７】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００３８】
定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイ１５２に排出される。
【００３９】
画像形成部１２０は、トナーカートリッジ２００が装着されるカートリッジ装着部１２２を含む。トナーカートリッジ２００は不揮発性メモリ２１０を有している。この不揮発性メモリ２１０には、トナーカートリッジを一意に識別するための識別情報等の情報が記憶される。トナーカートリッジの識別情報は、画像形成装置１００に固有の識別番号（例えば製造番号等の装置番号）と、画像形成装置１００で管理されるトナーカートリッジの管理連番（例えば何個目のトナーカートリッジかを示す番号）とからなる。
【００４０】
本実施の形態では、新品のトナーカートリッジには識別情報が付されておらず、新品のトナーカートリッジの識別情報は画像形成装置１００が生成する。画像形成装置１００は、トナーカートリッジの交換時に新品のトナーカートリッジの不揮発性メモリに識別情報を書込む。カートリッジ装着部１２２は、トナーカートリッジが装着された状態を検出するセンサ（図示せず。）、装着されたトナーカートリッジの不揮発性メモリに記憶された情報を読取る（取得する）情報読取部１２４、及び装着されたトナーカートリッジの不揮発性メモリに情報を書込む情報書込部１２６を含む。現在使用中のトナーカートリッジの識別情報は、識別情報の生成時に画像形成装置１００の記憶装置１６８にも記憶される。
【００４１】
トナー残量検出部１８０は、装着されているトナーカートリッジのトナー残量を検出する。トナー残量検出部１８０は、例えば印刷枚数に応じてトナー使用量をカウントすることによりトナー残量を算出（検出）する。トナー使用量のカウントが所定値に達すると、トナー残量検出部１８０はトナー残量が所定値を下回ったことを示す信号を制御部１６０に出力する。本実施の形態では、トナー残量検出部１８０は、所定値としてトナー残量がなくなったことを検出する（エンド状態を検出する）と、エンド状態を検出したことを示す信号を制御部１６０に出力する。トナー残量検出部１８０はさらに、トナー残量が少なくなったことを検出する（ニアエンド状態を検出する）ことも可能である。トナー残量検出部１８０はニアエンド状態を検出すると、ニアエンド状態を検出したことを示す信号を制御部１６０に出力する。
【００４２】
ＮＩＣ１９０は、ネットワーク５０とのインターフェイスをとる。画像形成装置１００は、このＮＩＣ１９０を介して、ネットワーク５０上の情報処理装置等と、所定の通信プロトコルに従ったデータ通信を行なうことができる。画像形成装置１００は、ＮＩＣ１９０を介して、情報処理装置から印刷ジョブ等の各種処理の実行を命令する命令信号を受信できる。
【００４３】
操作部１３０は、上記のように、表示パネルとタッチパネルとを含むタッチパネルディスプレイ１３２を含む。表示パネルは、画像形成装置１００の状態及び各種処理の状態に関する情報等の各種情報をユーザに提供する。このタッチパネルディスプレイ１３２はまた、ユーザに対して対話的な操作インターフェイス（ユーザインターフェイス）を提供する。この対話的な操作インターフェイスは、タッチパネルから画像形成装置１００全体の動作に対するユーザの指示を受付け、その指示の内容を表示パネルに表示するとともに、その指示に応じた制御信号を制御部１６０又は画像処理部１７０に対して出力する。
【００４４】
［ソフトウェア構成］
図３及び図４を参照して、トナーを使い切る前のトナーカートリッジの交換を禁止するために、画像形成装置１００で実行されるコンピュータプログラムの制御構造について説明する。
【００４５】
ここで、トナーカートリッジの交換は、画像形成装置１００の電源がオン状態又はオフ状態のときに行なわれる。画像形成装置１００の電源がオン状態の場合、当該画像形成装置１００はトナーカートリッジの装着状態を検出するセンサからの出力、又は、カートリッジ装着部１２２のカバー（トナーカートリッジの着脱時に開閉されるカバーであって例えば装置本体の前扉）の開閉動作を検出するセンサからの出力によってトナーカートリッジの着脱を検出する。なお、トナーカートリッジの着脱は、装着されているトナーカートリッジが取外された後、装着されることを意味し、同じトナーカートリッジが装着されると場合、及び異なるトナーカートリッジが装着される場合を含む。
【００４６】
画像形成装置１００の電源がオフ状態の場合、トナーカートリッジの装着状態を検出するセンサ、及びカバーの開閉動作を検出するセンサは動作していないため、当該画像形成装置１００はこれらセンサからの出力に基づいてトナーカートリッジの着脱を検出できない。この場合、画像形成装置１００は、電源のオフ時にトナーカートリッジの着脱があったものとみなして電源がオンされたときにこれを検出する。以下では、画像形成装置１００の記憶装置１６８に現在使用中のトナーカートリッジの識別情報が記憶されているものとする。
【００４７】
このプログラムは、画像形成装置１００の電源がオンされたことに応じて開始する。図３を参照して、このプログラムは、電源オフ前（直前の動作時）にトナーカートリッジのトナー残量がない状態（エンド状態）であったか否かを判定し、判定結果に応じて制御の流れを分岐させるステップＳ１０００を含む。後述するように、カートリッジのトナー残量がエンド状態であることをトナー残量検出部１８０が検出すると、制御部１６０はエンド状態を記憶装置１６８に記憶する。このステップＳ１０００では、記憶装置１６８にエンド状態が記憶されているか否かに応じて電源がオフされる前のトナーカートリッジのトナー残量がエンド状態であったか否かを判定する。
【００４８】
このプログラムはさらに、ステップＳ１０００において、電源オフ前はエンド状態ではないと判定された場合に実行され、装着されているトナーカートリッジと使用中のトナーカートリッジとを記憶されている識別情報に基づいて照合するステップＳ１０１０と、ステップＳ１０１０の後に実行され、この照合結果に基づいて装着されているトナーカートリッジが使用中のトナーカートリッジと同じものであるか否かを判定し、判定結果に応じて制御の流れを分岐させるステップＳ１０２０と、ステップＳ１０２０において、装着されているトナーカートリッジが使用中のトナーカートリッジと同じものであると判定された場合に実行され、自機の状態が、画像を形成する動作が禁止されている状態（画像形成処理の実行が禁止されている状態、以下「動作禁止状態」と呼ぶ場合がある。）であるか否かを判定し、判定結果に応じて制御の流れを分岐させるステップＳ１０３０と、ステップＳ１０３０において、自機の状態が動作禁止状態ではないと判定された場合に実行され、トナーカートリッジ内にトナーが残っているか否かを判定し、判定結果に応じて制御の流れを分岐させるステップＳ１０４０と、ステップＳ１０４０において、トナーカートリッジ内にトナーが残っていると判定された場合に実行され、トナーカートリッジのトナー残量がニアエンド状態であるか否かを判定し、判定結果に応じて制御の流れを分岐させるステップＳ１０５０と、ステップＳ１０５０において、トナーカートリッジのトナー残量がニアエンド状態であると判定された場合に実行され、ニアエンド状態であることをユーザに通知するステップＳ１０６０とを含む。
【００４９】
ステップＳ１０６０では、トナーカートリッジのトナー残量が少ないこと（ニアエンド状態であること）をユーザに通知するために、新しいトナーカートリッジの準備を要求するメッセージをタッチパネルディスプレイ１３２に表示させる。図７を参照して、タッチパネルディスプレイ１３２にはホーム画面６０が表示され、このホーム画面６０内に「トナーが少なくなっています。」というメッセージ７０が表示される。
【００５０】
再び図３を参照して、このプログラムはさらに、ステップＳ１０５０において、トナーカートリッジのトナー残量がニアエンド状態ではないと判定された場合、又はステップＳ１０６０の後に実行され、トナーカートリッジの着脱が検出されたか否かを判定し、判定結果に応じて制御の流れを分岐させるステップＳ１０７０と、ステップＳ１０７０において、トナーカートリッジの着脱が検出されたと判定された場合に実行され、装着されているトナーカートリッジと使用中のトナーカートリッジとを記憶されている識別情報に基づいて照合するステップＳ１０８０と、ステップＳ１０８０の後に実行され、この照合結果に基づいて装着されているトナーカートリッジが使用中のトナーカートリッジと異なるものであるか否かを判定し、判定結果に応じて制御の流れを分岐させるステップＳ１０９０とを含む。ステップＳ１０７０において、トナーカートリッジの着脱が検出されていないと判定された場合、及びステップＳ１０９０において、装着されているトナーカートリッジが使用中のトナーカートリッジと異なるものではない、すなわち同じものであると判定された場合は、制御はステップＳ１０４０に戻る。
【００５１】
図３及び図４を参照して、このプログラムはさらに、ステップＳ１０２０又はステップＳ１０９０において、装着されているトナーカートリッジが使用中のトナーカートリッジと異なるものであると判定された場合に実行され、画像を形成する動作を禁止するよう画像形成部１２０を制御するステップＳ１１００と、ステップＳ１１００の後に実行され、使用中のトナーカートリッジに戻すよう警告するステップＳ１１１０とを含む。
【００５２】
ステップＳ１１１０では、使用中のトナーカートリッジに戻すよう警告する警告画面をタッチパネルディスプレイ１３２に表示させる。図８を参照して、警告画面８０は「今まで使用していたトナーカートリッジに戻してください。（まだ使用可能です。）」というテキストが表示されたメッセージ領域８２を含む。警告画面８０には、メッセージの確認後に消去可能とするボタンが含まれないため、ユーザの操作によってこの警告画面８０を消去できない。またこの警告画面８０は表示から一定時間が経過しても自動的に消えない。
【００５３】
図４を参照して、このプログラムはさらに、ステップＳ１１１０の後に実行され、トナーカートリッジの着脱が検出されたか否かを判定し、着脱が検出されるまで待機するステップＳ１１２０と、ステップＳ１１２０において、トナーカートリッジの着脱が検出されたと判定された場合に実行され、装着されているトナーカートリッジと使用中のトナーカートリッジとを記憶されている識別情報に基づいて照合するステップＳ１１３０と、ステップＳ１１３０の後に実行され、この照合結果に基づいて装着されているトナーカートリッジが使用中のトナーカートリッジと異なるものであるか否かを判定し、判定結果に応じて制御の流れを分岐させるステップＳ１１４０と、図３に示すステップＳ１０３０において、自機の状態が動作禁止状態であると判定された場合、及びステップＳ１１４０において、装着されているトナーカートリッジが使用中のトナーカートリッジと異なるものではない、すなわち同じものであると判定された場合に実行され、動作禁止状態を解除し、警告画面８０を消去するステップＳ１１５０とを含む。ステップＳ１１４０において、装着されているトナーカートリッジが使用中のトナーカートリッジと異なるものであると判定された場合は、制御はステップＳ１１００に戻る。ステップＳ１１５０の処理が終了すると、制御は図３に示すステップＳ１０４０に戻る。
【００５４】
再び図３を参照して、このプログラムはさらに、ステップＳ１０４０において、トナーカートリッジ内にトナーが残っていない（エンド状態である）と判定された場合に実行され、エンド状態であることをユーザに通知するとともに記憶装置１６８にエンド状態を記憶するステップＳ１１６０と、ステップＳ１１６０の後に実行され、トナーカートリッジの着脱が検出されたか否かを判定し、着脱が検出されるまで待機するステップＳ１１７０と、ステップＳ１０００において、電源オフ前はエンド状態であったと判定された場合、又はステップＳ１１７０において、トナーカートリッジの着脱が検出されたと判定された場合に実行され、装着されているトナーカートリッジと使用中のトナーカートリッジとを記憶されている識別情報に基づいて照合するステップＳ１１８０と、ステップＳ１１８０の後に実行され、この照合結果に基づいて装着されているトナーカートリッジが使用中のトナーカートリッジと異なるものであるか否かを判定し、判定結果に応じて制御の流れを分岐させるステップＳ１１９０と、ステップＳ１１９０において、装着されているトナーカートリッジが使用中のトナーカートリッジと異なるものであると判定された場合に実行され、装着されているトナーカートリッジの不揮発性メモリ及び記憶装置１６８に当該トナーカートリッジの識別情報を書込むステップＳ１２００とを含む。ステップＳ１１９０において、装着されているトナーカートリッジが使用中のトナーカートリッジと異なるものではない、すなわち同じものであると判定された場合は制御はステップＳ１１６０に戻る。ステップＳ１２００の処理が終了すると制御はステップＳ１０４０に戻る。
【００５５】
ステップＳ１１６０では、トナーカートリッジ内のトナーが使い切られたこと（エンド状態であること）をユーザに通知するために、トナーカートリッジの交換を促すメッセージを含む警告画面をタッチパネルディスプレイ１３２に表示させる。図９を参照して、警告画面９０は「トナーカートリッジを交換してください。」というテキストが表示されたメッセージ領域９２と、メッセージの確認後に消去可能とするＯＫボタン９４とを含む。制御部１６０は、ユーザによるＯＫボタン９４の操作を受付けると、この警告画面９０を消去するようタッチパネルディスプレイ１３２の表示を制御する。制御部１６０はまた、エンド状態か否かを示すフラグを１（エンド状態）にすることによってＲＡＭ１６６又は記憶装置１６８にエンド状態を記憶する。
【００５６】
図５は、図３のステップＳ１０１０、ステップＳ１０８０及びステップＳ１１８０、並びに図４のステップＳ１１３０の詳細なフローである。図５を参照して、このルーチンは、カートリッジ装着部１２２の情報読取部１２４を制御して、装着されているトナーカートリッジの不揮発性メモリから当該トナーカートリッジの識別情報を読出すステップＳ２０００と、ステップＳ２０００の後に実行され、使用中のトナーカートリッジの識別情報を自機の記憶装置１６８から読出すステップＳ２０１０と、ステップＳ２０１０の後に実行され、装着されているトナーカートリッジの不揮発性メモリから読出した識別情報と、記憶装置１６８から読出した使用中のトナーカートリッジの識別情報とを比較してこれらが一致しているか否かを判定し、判定結果に応じて制御の流れを分岐させるステップＳ２０２０と、ステップＳ２０２０において、一致していると判定された場合に実行され、装着されているトナーカートリッジが使用中のトナーカートリッジと同じものであることを記憶するステップＳ２０３０と、ステップＳ２０２０において、一致していないと判定された場合に実行され、装着されているトナーカートリッジが使用中のトナーカートリッジと同じものでないことを記憶するステップＳ２０４０とを含む。ステップＳ２０３０又はステップＳ２０４０の処理が終了すると、このルーチンは終了する。
【００５７】
図６は、図３のステップＳ１２００の詳細なフローである。図６を参照して、このルーチンは、自機の識別番号（例えば装置番号）と管理連番とからなる識別情報を生成し、カートリッジ装着部１２２の情報読取部１２４を制御して、生成した識別情報をトナーカートリッジの不揮発性メモリに書込むステップＳ３０００と、ステップＳ３０００の後に実行され、不揮発性メモリに書込んだ識別情報と同じ識別情報を自機の記憶装置１６８に書込むステップＳ３０１０と、ステップＳ３０１０の後に実行され、トナー使用量のカウントをリセットするステップＳ３０２０と、ステップＳ３０２０の後に実行され、ＲＡＭ１６６又は記憶装置１６８に記憶されたエンド状態を削除してこのルーチンを終了するステップＳ３０３０とを含む。
【００５８】
ステップＳ３０１０では、記憶装置１６８に識別情報が記憶されている場合は、その識別情報を、不揮発性メモリに書込んだ識別情報と同じ識別情報に書替える。記憶装置１６８に識別情報が記憶されていない場合（装着されたトナーカートリッジが画像形成装置１００に最初に装着されたトナーカートリッジである場合）、不揮発性メモリに書込んだ識別情報と同じ識別情報を記憶装置１６８に書込む。ステップＳ３０３０では、例えばエンド状態か否かを示すフラグを０（エンド状態でない）にすることによってエンド状態の記憶を削除する。
【００５９】
［動作］
本実施の形態に係る画像形成装置１００は以下のように動作する。以下の説明では、画像形成装置１００の動作の内、本発明に関連する部分のみを説明する。他の動作は従来の画像形成装置の動作と同様である。以下では、電源オンの状態でトナーカートリッジの交換が行なわれる場合と、電源オフの状態でトナーカートリッジの交換が行なわれる場合とで分けて説明する。
【００６０】
＜電源オンの状態でトナーカートリッジの交換が行なわれる場合＞
画像形成装置１００は、現在使用中のトナーカートリッジの識別情報を記憶装置１６８に記憶している。画像形成装置１００は、コピー印刷等の印刷処理（画像形成処理）を実行する。これにより、トナーカートリッジ内のトナーが消費される。トナー残量検出部１８０は使用中のトナーカートリッジのトナー残量を検出し、トナーカートリッジのトナー残量が少なくなったことを検出する（ニアエンド状態を検出する）と、ニアエンド状態を検出したことを示す信号を制御部１６０に出力する。制御部１６０は、トナー残量検出部１８０から出力された信号によりニアエンド状態を検出すると（図３に示すステップＳ１０４０においてＹＥＳ、かつステップＳ１０５０においてＹＥＳ）、トナー残量が少なくなったことをユーザに通知する（ステップＳ１０６０）。制御部１６０は、例えばタッチパネルディスプレイ１３２にトナーが少なくなっていることを示すメッセージを表示させる。図７を参照して、タッチパネルディスプレイ１３２に表示されているホーム画面６０の一部に「トナーが少なくなっています。」というメッセージ７０が表示される。
【００６１】
このメッセージを見たユーザは、新しいトナーカートリッジ（新品のトナーカートリッジ）を準備し、準備した新品のトナーカートリッジに交換したとする。画像形成装置１００はカバーの開閉動作を検出するセンサ等からの出力によってトナーカートリッジの着脱を検出する（ステップＳ１０７０においてＹＥＳ）。画像形成装置１００は、トナーカートリッジが装着されると、そのトナーカートリッジの不揮発性メモリから識別情報を読出す（図５に示すステップＳ２０００）。新品のトナーカートリッジの不揮発性メモリには識別情報が記憶されていないため、新品のトナーカートリッジが装着された場合、画像形成装置１００は識別情報が記憶されていないことを認識する。
【００６２】
制御部１６０は、記憶装置１６８に記憶されている識別情報（現在使用中のトナーカートリッジの識別情報）を読出し（ステップＳ２０１０）、トナーカートリッジから読出した情報と比較することによって、装着されたトナーカートリッジが使用中のトナーカートリッジと同じものか否かを判定する。新品のトナーカートリッジが装着された場合は、制御部１６０は、使用中のトナーカートリッジと同じものではないと判定し（ステップＳ２０２０においてＮＯ）、異なるカートリッジであることをＲＡＭ１６６又は記憶装置１６８に記憶する（ステップＳ２０４０）。装着されたトナーカートリッジが使用中のトナーカートリッジでないと判定すると（ステップＳ１０９０においてＹＥＳ）、制御部１６０は、画像形成部１２０を制御して自機の状態を動作禁止状態にする（図４に示すステップＳ１１００）。このとき、制御部１６０は交換したトナーカートリッジを使用中のトナーカートリッジ（前のトナーカートリッジ）に戻すよう警告する警告画面をタッチパネルディスプレイ１３２に表示させる（ステップＳ１１１０）。図８を参照して、警告画面８０には「今まで使用していたトナーカートリッジに戻してください。（まだ使用可能です。）」との警告メッセージが表示されている。この警告画面８０は、動作禁止状態が解除されるまで表示され続ける。画像形成装置１００は動作禁止状態の間、操作部１３０のボタン等の操作を受付けずユーザによって操作部１３０が操作された場合でも画像形成処理を実行しない。
【００６３】
ユーザは、この警告画面８０のメッセージにしたがい、今まで使用していたトナーカートリッジに戻したとする。画像形成装置１００はトナーカートリッジの着脱を検出（ステップＳ１１２０においてＹＥＳ）すると、装着されたトナーカートリッジの照合処理を実行する（ステップＳ１１３０）。装着されたトナーカートリッジが使用中のトナーカートリッジと同じものである、すなわち今まで使用していたトナーカートリッジに戻されたと判定すると（ステップＳ１１４０においてＮＯ）、画像形成装置１００（制御部１６０）は動作禁止状態を解除し、警告画面８０を消去する（ステップＳ１１５０）。動作禁止状態が解除され、図８に示される警告画面８０が消去されると再び画像形成処理が実行可能な状態となる。
【００６４】
使用中のトナーカートリッジを使い続けることによってトナーカートリッジ内のトナーを使い切ると、トナー残量検出部１８０はエンド状態を検出する。トナー残量検出部１８０はエンド状態を検出したことを示す信号を制御部１６０に出力する。制御部１６０は、トナー残量検出部１８０から出力された信号によりエンド状態を検出すると（図３に示すステップＳ１０４０においてＮＯ）、トナーがなくなったことをユーザに通知する（ステップＳ１１６０）。制御部１６０は、例えばタッチパネルディスプレイ１３２にトナーがなくなったことを示すメッセージ（トナーカートリッジの交換を促すメッセージ）を含む警告画面を表示させる。図９を参照して、警告画面９０には「トナーカートリッジを交換してください。」とのメッセージが表示されている。ユーザによってＯＫボタン９４が操作されると、この警告画面９０は消去する。制御部１６０はさらに、エンド状態を検出するとＲＡＭ１６６又は記憶装置１６８にエンド状態を記憶する（ステップＳ１１６０）。
【００６５】
その後、新品のトナーカートリッジに交換されると、画像形成装置１００は、自機の識別番号（例えば装置番号）と管理連番とからなる識別情報を生成する。生成した識別情報は、装着された新品のトナーカートリッジを特定するための情報である。画像形成装置１００は、生成した識別情報をトナーカートリッジの不揮発性メモリに書込み（図６に示すステップＳ３０００）、同じ識別情報を記憶装置１６８にも書込む（ステップＳ３０１０）。画像形成装置１００は、記憶装置１６８に書込んだ識別情報に対応するトナーカートリッジを使用中のトナーカートリッジと認識する。画像形成装置１００は、識別情報の書込処理が終了すると、トナー使用量のカウントをリセットし（ステップＳ３０２０）、エンド状態の記憶を削除し、警告画面９０を消去する（ステップＳ３０３０）。これにより、ユーザがＯＫボタン９４を操作することなく、トナーカートリッジを交換した場合にも、警告画面９０は自動的に消去されることになる。また、警告画面９０が表示されていない状態で、警告画面９０を消去しても画面上の変化はない。
【００６６】
コピー印刷等の印刷処理の実行によってトナーカートリッジ内のトナー残量が少なくなると、画像形成装置１００は上記と同様の動作を繰返す。
【００６７】
＜電源オフの状態でトナーカートリッジの交換が行なわれる場合＞
画像形成装置１００はニアエンド状態を検出すると、図７に示すメッセージ７０をタッチパネルディスプレイ１３２に表示する（図３に示すステップＳ１０６０）。このメッセージを見たユーザは、新しいトナーカートリッジ（新品のトナーカートリッジ）を準備し、電源を一度オフにして準備した新品のトナーカートリッジに交換したとする。電源がオンされると、画像形成装置１００は、電源オフ前はエンド状態であったか否かを判定する。この場合、電源オフ前はニアエンド状態であったため、画像形成装置１００は、電源オフ前はエンド状態ではなかったと判定する（ステップＳ１０００においてＮＯ）。画像形成装置１００は、装着されているトナーカートリッジの照合処理を実行し（ステップＳ１０１０）、電源オフ時に新品のトナーカートリッジに交換されたと判定すると（ステップＳ１０２０においてＮＯ）、自機の状態を動作禁止状態にする（図４に示すステップＳ１１００）。このとき、制御部１６０は交換したトナーカートリッジを使用中のトナーカートリッジ（前のトナーカートリッジ）に戻すよう警告する警告画面をタッチパネルディスプレイ１３２に表示させる（ステップＳ１１１０）。
【００６８】
ユーザは、この警告画面８０のメッセージにしたがい、電源をオフにした状態で今まで使用していたトナーカートリッジに戻したとする。電源がオンされると、画像形成装置１００は、電源オフ前はエンド状態であったか否かを判定する。電源オフ前はニアエンド状態であったため、画像形成装置１００は、電源オフ前はエンド状態ではなかったと判定する（ステップＳ１０００においてＮＯ）。画像形成装置１００は、装着されているトナーカートリッジの照合処理を実行し（ステップＳ１０１０）、電源オフ時に今まで使用していたトナーカートリッジに戻されたと判定すると（ステップＳ１０２０においてＹＥＳ）、自機の状態が動作禁止状態か否かを判定する。動作禁止状態は解除されていないため、画像形成装置１００は自機の状態が動作禁止状態であると判定する（ステップＳ１０３０においてＹＥＳ）。画像形成装置１００（制御部１６０）は動作禁止状態を解除し、警告画面８０を消去する（ステップＳ１１５０）。この時、警告画面８０は表示されていないので、警告画面８０を消去しても画面上の変化はない。
【００６９】
使用中のトナーカートリッジを使い続けることによってトナーカートリッジ内のトナーが使を切ると、トナー残量検出部１８０はエンド状態を検出する。トナー残量検出部１８０はエンド状態を検出したことを示す信号を制御部１６０に出力する。制御部１６０は、トナー残量検出部１８０から出力された信号によりエンド状態を検出すると（図３に示すステップＳ１０４０においてＮＯ）、トナーがなくなったことをユーザに通知する（ステップＳ１１６０）。制御部１６０はさらに、エンド状態を検出するとＲＡＭ１６６又は記憶装置１６８にエンド状態を記憶する（ステップＳ１１６０）。
【００７０】
ユーザは、電源をオフにして新品のトナーカートリッジに交換したとする。電源がオンされると、画像形成装置１００は、電源オフ前はエンド状態であったか否かを判定する。電源オフ前はエンド状態であったため、画像形成装置１００は、電源オフ前はエンド状態であったと判定する（ステップＳ１０００においてＹＥＳ）。画像形成装置１００は照合処理を実行し（ステップＳ１１８０）、電源オフ時に新品のトナーカートリッジに交換されたと判定すると（ステップＳ１１９０においてＹＥＳ）、自機の識別番号（例えば装置番号）と管理連番とからなる識別情報を生成する。画像形成装置１００は、生成した識別情報をトナーカートリッジの不揮発性メモリに書込み（図６に示すステップＳ３０００）、同じ識別情報を記憶装置１６８にも書込む（ステップＳ３０１０）。画像形成装置１００は、記憶装置１６８に書込んだ識別情報に対応するトナーカートリッジを使用中のトナーカートリッジと認識する。画像形成装置１００は、識別情報の書込処理が終了すると、トナー使用量のカウントをリセットし（ステップＳ３０２０）、エンド状態の記憶を削除し、警告画面９０を消去する（ステップＳ３０３０）。この時、警告画面９０は表示されていないので、警告画面９０を消去しても画面上の変化はない。
【００７１】
コピー印刷等の印刷処理の実行によってトナーカートリッジ内のトナー残量が少なくなると、画像形成装置１００は上記と同様の動作を繰返す。
【００７２】
［作用・効果］
以上の説明から明らかなように、本実施の形態に係る画像形成装置１００を利用することにより、以下に述べる効果を奏する。
【００７３】
画像形成装置１００には、画像の形成時に使用されるトナーを収納したトナーカートリッジが着脱自在に装着される。画像形成装置１００は、装着されているトナーカートリッジの識別情報を記憶装置１６８に記憶することによって、現在使用中のトナーカートリッジを認識する。画像形成装置１００は、装着されているトナーカートリッジのトナー残量を検出し、トナー残量が所定値を下回っていない状態（トナーが残っている状態）においてトナーカートリッジの着脱を検出すると、装着された当該トナーカートリッジが、記憶装置１６８に記憶されている識別情報に対応するものであるか否かを判定する。すなわち、トナーカートリッジ内のトナーが残っている状態においてトナーカートリッジの着脱があった場合、画像形成装置１００は新たに装着されたトナーカートリッジが使用中のトナーカートリッジであるか否かを判定する。装着されたトナーカートリッジが使用中のトナーカートリッジでない場合、画像形成装置１００は画像形成部１２０を制御して画像を形成する動作を禁止する。トナー残量がエンド状態になると、画像形成装置１００はトナーカートリッジの交換を促す通知を行なう。
【００７４】
このように、本画像形成装置１００は、トナー残量がエンド状態ではない状態、すなわちトナーがまだ残っている状態においてトナーカートリッジが取外され、別のトナーカートリッジ（例えば新品のトナーカートリッジ）が装着されると画像を形成する動作を禁止する。トナーを使い切るまでは、トナーカートリッジを交換しても画像を形成することができないため、トナーを使い切る前のトナーカートリッジの交換を容易に抑制できる。さらに本画像形成装置１００では、メカニカルなロック機構を用いることなく、トナーを使い切る前のトナーカートリッジの交換を抑制できる。したがって、本画像形成装置１００によれば、安価かつ簡易な構成で資源利用の効率化を図ることができる。
【００７５】
（第２の実施の形態）
図１０を参照して、本実施の形態に係る画像形成装置３００は、管理者権限を有するユーザを認証する認証部３１０を含む点において、第１の実施の形態に係る画像形成装置１００とは異なる。その他の点では、各画像形成装置は同一の構成である。
【００７６】
上述のように、資源利用の観点からはトナーを使い切った後にトナーカートリッジを交換するのが好ましい。しかし、トナーカートリッジの不具合等（例えばトナー補給不具合等）によりトナーを使切る前のトナーカートリッジの交換が必要になる場合もあり得る。本実施の形態では、管理者権限を有するユーザの操作によって動作禁止状態を解除することが可能とされている。すなわち、管理者権限を有するユーザは、トナーカートリッジの交換を許容する設定メニューを操作することが可能であり、設定メニューの設定によりトナーを使い切る前のトナーカートリッジの交換が許容される。
【００７７】
［ソフトウェア構成］
本実施の形態に係る画像形成装置３００では、図３及び図４に示されるプログラムに代えて、図１１及び図１２に示されるプログラムが実行される。図１２を参照して、本実施の形態に係る画像形成装置３００において、ステップＳ１５００、ステップＳ１５１０、ステップＳ１５２０、及びステップＳ１５３０における処理を除く各処理は、図３及び図４に示されるコンピュータプログラムによって実行される各処理と同様である。以下、異なる部分について説明する。
【００７８】
図１２を参照して、このプログラムは、図１１に示すステップＳ１０２０又はステップＳ１０９０において、装着されているトナーカートリッジが使用中のトナーカートリッジと異なるものであると判定された場合に実行され、管理者権限を有するユーザによる動作禁止状態を解除する解除操作がされているか否かを判定し、判定結果に応じて制御の流れを分岐させるステップＳ１５００と、ステップＳ１５００において、解除操作がされていると判定された場合に実行され、書込処理を実行するステップＳ１５１０と、ステップＳ１１１０の後に実行され、管理者権限を有するユーザによる動作禁止状態を解除する解除操作がされているか否かを判定し、判定結果に応じて制御の流れを分岐させるステップＳ１５２０と、ステップＳ１５２０において、解除操作がされたと判定された場合に実行され、書込処理を実行するステップＳ１５３０とを含む。
【００７９】
ステップＳ１５００において、解除操作がされていないと判定された場合は、制御はステップＳ１１００に進む。ステップＳ１５２０において、解除操作がされていないと判定された場合は、制御はステップＳ１１２０に進む。ステップＳ１５１０の処理が終了すると、制御は図１１に示すステップＳ１０４０に戻る。ステップＳ１５３０の処理が終了すると、制御はステップＳ１１５０に進む。ステップＳ１５１０及びステップＳ１５３０では、図３のステップＳ１２００と同じ処理が実行される。
【００８０】
［動作］
本実施の形態に係る画像形成装置３００は以下のように動作する。なお、管理者権限を有するユーザによる解除操作を除いた動作は、上記第１の実施の形態で示した画像形成装置１００と同様である。したがって、同様の動作についての詳細な説明は繰返さない。
【００８１】
画像形成装置３００は、管理者権限を有するユーザの認証時に図１３に示す管理者権限ユーザ認証画面３５０をタッチパネルディスプレイ１３２に表示する。図１３を参照して、管理者権限ユーザ認証画面３５０は、パスワードを入力するパスワード入力フィールド３５２を含む。ユーザによるパスワード入力フィールド３５２へのタッチを検出すると、画像形成装置３００は図１４に示すパスワード入力画面３６０をタッチパネルディスプレイ１３２に表示する。図１４を参照して、パスワード入力画面３６０は、文字、数字及び記号等を入力するためのキーボードが表示された領域３６２と、キーボード入力された文字等を表示する領域３６４とを含む。領域３６４に表示された文字等が管理者権限ユーザ認証画面３５０のパスワード入力フィールド３５２にパスワードとして表示される。管理者権限を有するユーザが認証部３１０によって認証されると、画像形成装置３００は図１５に示す設定メニュー（システム設定画面３７０）をタッチパネルディスプレイ１３２に表示する。図１５を参照して、システム設定画面３７０は画像形成装置３００の禁止設定を有効にする際にチェックを入れるチェックボックス３７２を含む。トナーカートリッジの交換禁止のチェックが外されるとトナーカートリッジの交換禁止の設定が無効となるため、画像形成装置３００が動作禁止状態である場合は動作禁止状態は解除される。
【００８２】
管理者権限を有するユーザによってこうした操作が行なわれる又は行なわれていると、画像形成装置３００は、解除操作がされたと判定する（図１２に示すステップＳ１５００及びステップＳ１５２０）。画像形成装置３００は自機の状態が動作禁止状態である場合、この動作禁止状態を解除する（ステップＳ１１５０）。一方、画像形成装置３００は自機の状態が動作禁止状態でない場合、動作禁止状態にすることなく、トナーを使切る前のトナーカートリッジの交換を許容する。
【００８３】
［作用・効果］
本実施の形態に係る画像形成装置３００は、以下に述べる効果を奏する。
【００８４】
画像形成装置３００は、上記第１の実施の形態と同様、トナーを使い切る前のトナーカートリッジの交換を抑制できる。そのため、資源利用の効率化を容易に図ることができる。さらに、トナーカートリッジの不具合等によりトナーを使切る前のトナーカートリッジの交換が必要な場合、管理者権限を有するユーザの操作によりトナーを使い切る前のトナーカートリッジの交換を許容するように設定できる。
【００８５】
なお、トナーを使い切る前のカートリッジ交換をメカニカルなロック機構によって禁止する構成では、トナーカートリッジの不具合発生時にどうしてもトナーを使切る前にトナーカートリッジを交換しなければならない場合に、サービスマンによりメカロック機構を解除してもらう必要がある。
【００８６】
本実施の形態では、管理者権限を有するユーザの操作によって動作禁止状態を解除できるため、サービスマンによりメカロック機構を解除してもらう場合に比べて、急ぎの場合に容易に対応できる。
【００８７】
（第３の実施の形態）
本実施の形態に係る画像形成装置は、図１５に示すシステム設定画面３７０において、トナーカートリッジの交換禁止がデフォルトで設定されている点において、第２の実施の形態に係る画像形成装置３００とは異なる。その他の点では、各画像形成装置は同一の構成である。
【００８８】
図１５を参照して、本実施の形態においても、トナーカートリッジの交換禁止のチェックが外されるとトナーカートリッジの交換禁止の設定が無効となる。これにより、トナーを使い切る前のトナーカートリッジの交換を許容する。ユーザは、トナーを使い切る前にトナーカートリッジを交換できる。
【００８９】
本実施の形態では、画像形成装置は、トナーカートリッジの交換後にその許容設定を自動的に禁止する。すなわち、トナーカートリッジの交換禁止のチェックが外された後にトナーカートリッジの交換を検出すると、画像形成装置はシステム設定画面３７０のトナーカートリッジの交換禁止を設定するチェックボックスに自動的にチェックを入れる。
【００９０】
（第４の実施の形態）
本実施の形態に係る画像形成装置は、トナーを使い切る前にトナーカートリッジが交換された場合に、ネットワークを介してサービスセンターに通報する点において、第２の実施の形態に係る画像形成装置３００と異なる。その他の点では、各画像形成装置は同一の構成である。
【００９１】
ユーザが電話等でサービスセンターに連絡すると、サービスセンターはリモートで動作禁止状態を解除する。したがって、トナーカートリッジの不具合等によりトナーを使切る前のトナーカートリッジの交換が必要な場合であって、管理者権限を有するユーザが不在の場合に容易に対応できる。
【００９２】
（変形例）
上記実施の形態では、画像形成装置の一例である複合機に本発明を適用した例について示したが、本発明はそのような実施の形態には限定されない。印刷機能を有していれば、画像形成装置は複合機以外であってもよい。例えば、コピー機、プリンタ等の画像形成装置であってもよい。
【００９３】
上記実施の形態では、レーザー光を露光に利用する、所謂レーザー方式（電子写真方式）の印刷機能を備えた画像形成装置について示したが、本発明はそのような実施の形態には限定されない。画像形成装置は、他の形式の印刷機能を備えたものであってもよい。
【００９４】
上記実施の形態では、トナーを収納したトナーカートリッジを消耗部品として利用する例について示したが、本発明はそのような実施の形態には限定されない。利用する消耗部品はトナーカートリッジ以外であってもよい。例えばインクを収納したインクカートリッジであってもよい。こうしたインクカートリッジは、例えばインクジェット方式の印刷機能を有する画像形成装置に装着されて利用される。
【００９５】
上記実施の形態では、画像形成装置が動作禁止状態のときに警告画面をタッチパネルディスプレイに表示することによって、使用中のトナーカートリッジに戻すようユーザに警告する例について示したが、本発明はそのような実施の形態には限定されない。こうした警告は警告画面を表示する方法以外の方法により行なってもよい。例えば、音声による警告、又はランプ表示による警告等であってもよい。また、こうした警告を行なわない構成であってもよい。例えば、画像形成装置が動作禁止状態のときは、タッチパネルディスプレイの表示を消去するようにしてもよい。
【００９６】
上記実施の形態では、画像形成装置に固有の識別番号（例えば製造番号等の装置番号）と画像形成装置で管理されるトナーカートリッジの管理連番とからなる識別情報を当該画像形成装置で生成し、生成した識別情報をトナーカートリッジの識別情報とする例について示したが、本発明はそのような実施の形態には限定されない。トナーカートリッジの識別情報は、当該トナーカートリッジを一意に識別することが可能な情報であれば、上記した構成以外の識別情報であってもよい。
【００９７】
上記実施の形態では、画像形成装置で生成した識別情報をトナーカートリッジの不揮発性メモリに書込む例について示したが、本発明はそのような実施の形態に限定されない。例えば、カートリッジの不揮発性メモリに予め個体識別情報が記憶される構成であってもよい。個体識別情報としては、例えばカートリッジ固有のシリアルＮｏ等が挙げられる。この番号を画像形成装置の記憶装置等に記憶させておき、電源オン時又はカバーの開閉動作の検出時等に装着されているカートリッジの個体識別情報と照合することにより、カートリッジの交換を検出するようにしてもよい。なお、上記実施の形態において、画像形成装置のカートリッジ装着部が不揮発性メモリを持ち、ハードディスク等の記憶装置に代えてそのメモリにトナーカートリッジの識別情報を記憶させる構成であってもよい。
【００９８】
上記実施の形態では、印刷枚数に応じてトナー使用量をカウントすることによりトナー残量を検出する例について示したが、本発明はそのような実施の形態には限定されない。トナー残量の検出は、従来知られている方法を用いてもよい。例えば、トナー残量を検出するセンサからの出力に基づいて、トナー残量のニアエンド状態又はエンド状態を検出するようにしてもよい。
【００９９】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１００】
１００、３００      画像形成装置
１１０              原稿読取部
１２０              画像形成部
１２２              カートリッジ装着部
１３０              操作部
１３２              タッチパネルディスプレイ
１４０              給紙部
１４２              手差し給紙トレイ
１５０              排紙処理部
１５２              排紙トレイ
１６０              制御部
１７０              画像処理部
１８０              トナー残量検出部
３１０              認証部
３５０              管理者権限ユーザ認証画面
３６０              パスワード入力画面
３７０              システム設定画面
【図１】
2015075701.tif 000003
【図２】
2015075701.tif 000004
【図３】
2015075701.tif 000005
【図４】
2015075701.tif 000006
【図５】
2015075701.tif 000007
【図６】
2015075701.tif 000008
【図７】
2015075701.tif 000009
【図８】
2015075701.tif 000010
【図９】
2015075701.tif 000011
【図１０】
2015075701.tif 000012
【図１１】
2015075701.tif 000013
【図１２】
2015075701.tif 000014
【図１３】
2015075701.tif 000015
【図１４】
2015075701.tif 000016
【図１５】
2015075701.tif 000017